(57)【要約】【課題】本発明は、サービスを提供するサーバ機器の使い勝手を向上することを目的とする。【解決手段】上記目的を達成するため、本発明は、サービスの提供を受ける者の識別情報とサービスの提供を受ける者の詳細情報とを記憶し、前記記憶している前記サービスの提供を受ける者の識別情報の一部又は全部を表示し、前記サービスの提供を受ける者の識別情報の表示から選択されたサービスの提供を受ける者の詳細情報を表示する技術とする。【選択図】  図４
2004206186.tif 000002
【特許請求の範囲】
【請求項１】
サービスを提供するサーバ機器において、
サービスの提供を受ける者の識別情報とサービスの提供を受ける者の詳細情報とを記憶する記憶手段と、
情報を表示する表示手段と、
前記記憶手段に記憶している前記識別情報の一部又は全部を前記表示手段に表示させ、前記識別情報の表示から選択された前記サービスの提供を受ける者の詳細情報を前記表示手段に表示させるように、前記記憶手段及び前記表示手段を制御する制御手段と、を有するサーバ機器。
【請求項２】
請求項１に記載のサーバ機器であって、
前記制御手段は、サービスを提供する場合に、前記識別情報の入力を指示する情報をサービスの提供を受ける機器に出力し、前記サービスの提供を受ける機器から入力された識別情報が前記記憶手段に記憶されているか否かを判断し、前記入力された識別情報が前記記憶手段に記憶されていない場合には、前記サービスの提供を受ける者の詳細情報の入力を指示する情報を前記サービスの提供を受ける機器に出力するサーバ機器。
【請求項３】
請求項１又は請求項２に記載のサーバ機器であって、
前記制御手段は、現にサービスの提供を受けている者の識別情報を前記表示手段に表示させるように、前記記憶手段及び前記表示手段を制御するサーバ機器。
【請求項４】
請求項１又は請求項２に記載のサーバ機器であって、
前記制御手段は、前記識別情報の表示から選択されたサービスの提供を受ける者の詳細情報を表示する場合に、パスワードの入力を指示する情報を前記表示手段に表示させ、入力されたパスワードと前記制御手段に記憶しているパスワードとが一致するか否かを判断し、パスワードが一致したときに、前記詳細情報を表示するように、前記記憶手段及び前記表示手段を制御するサーバ機器。
【請求項５】
サービスの提供を受ける者の情報をサーバ機器に表示する表示方法において、サービスの提供を受ける者の識別情報とサービスの提供を受ける者の詳細情報とを記憶し、
前記記憶している識別情報の一部又は全部を表示し、
前記識別情報の表示から選択されたサービスの提供を受ける者の詳細情報を表示する表示方法。
【請求項６】
請求項５に記載の表示方法であって、
前記サーバ機器がサービスを提供する場合に、前記識別情報の入力を指示する情報を前記サービスの提供を受ける機器に出力し、
前記サービスの提供を受ける機器から入力された識別情報が前記サーバ機器に記憶されているか否かを判断し、
前記入力された識別情報が記憶されていない場合には、前記詳細情報の入力を指示する情報を前記サービスの提供を受ける機器に出力する表示方法。
【請求項７】
請求項５又は請求項６に記載の表示方法であって、
現にサービスの提供を受けている者の識別情報を表示するサービス提供方法。
【請求項８】
請求項５又は請求項６に記載の表示方法であって、
前記識別情報の表示から選択されたサービスの提供を受ける者の詳細情報を表示する場合に、パスワードを入力すべきであること指示する情報を表示し、
前記指示情報に基き入力されたパスワードと前記サーバ機器に記録しているパスワードとが一致するか否かを判断し、
パスワードが一致したときに、前記詳細情報を表示する表示方法。
【発明の詳細な説明】
【０００１】
【発明の属する技術分野】
本発明は、サーバ機器によりサービスを提供する技術に関する。特に、サービスの提供を受けている者の情報を表示する技術に関する。
【０００２】
【従来の技術】
近年、図２に示すように、サービスを提供するサーバ機器、及びサービスの提供を受けるユーザ機器がネットワークを介して複数リンクしている。サービスの提供を受ける者であるユーザは、携帯電話、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、又はデジタルカメラ等といったユーザ機器を用いて、ネットワークを介し、データベースの検索、ハードウェアによる情報処理、Ｗｅｂページへのアクセス、情報の印刷、情報の記録、又は情報の予約等のサービスを、サーバ機器から提供させる。
【０００３】
この場合において、ユーザは、サーバ機器の場所まで行き、サーバ機器に登録されているサーバ機器の略称等を確認した後に、ユーザ機器の場所まで戻り、ユーザ機器に表示された複数のサーバ機器の略称等から前記確認したサーバ機器の略称を選択する技術が提案されている。（例えば、特許文献１）
【０００４】
【特許文献１】
特開２００２−１４９４７０号公報
【０００５】
【発明が解決しようとする課題】
しかし、上記従来の技術においては、サービスを提供する者が複数のユーザ機器を識別することについては考慮されていなかった。また、ユーザの詳細情報を容易に知ることについては考慮されていなかった。また、ユーザ詳細情報の秘密保持については考慮されていなかった。
【０００６】
そこで、本発明は、上記の点に鑑み、サービスを提供するサーバ機器の使い勝手を向上することを目的とする。
【０００７】
【課題を解決するための手段】
上記目的を達成するため、本発明は、サービスの提供を受ける者の識別情報とサービスの提供を受ける者の詳細情報とを記憶し、前記記憶している前記識別情報の一部又は全部を表示し、前記識別情報の表示から選択されたサービスの提供を受ける者の詳細情報を表示する技術とする。
【０００８】
【発明の実施の形態】
以下、本発明の第一の実施形態について説明をする。
【０００９】
本実施形態において、サーバ機器は、データベースの検索サービスを提供するデータベース検索機器であるものとして説明をするが、本発明は、これに限らず、ハードウェアによる情報処理、Ｗｅｂページへのアクセス、情報の印刷、情報の記録、又は情報の予約等の様々なサービスを提供するサーバ機器に適用することができる。また、前記データベース検索機器は、図２のサーバ機器２０１であるものとする。また、ユーザ機器は、特定の機能を有する機器に限らず、携帯電話、ＰＣ（Ｐｅｒｓｏｎａｌ  Ｃｏｍｐｕｔｅｒ）、ＰＤＡ（ＰｅｒｓｏｎａｌＤｉｇｉｔａｌ  Ａｓｓｉｓｔａｎｔ）、又はデジタルカメラ等、サーバ機器からサービスの提供を受ける機器である。また、データベース検索サービスの提供を受ける者を、便宜上、ユーザと呼ぶが、これにより本発明の解釈が狭くなることはない。また、ユーザ識別情報とは、例えば、図３に示すようにユーザ名及びユーザの機器名であるが、ユーザ識別情報はこれに限らずユーザを識別する情報である。
また、ユーザ詳細情報は、例えば、図４に示すようにユーザ識別情報の他にユーザの登録日、ユーザ機器へサービスを行なった最終日、ユーザの所属部署情報、ユーザの電話番号、ユーザ機器の機種名、及びユーザの所在情報等であるが、ユーザ詳細情報はこれに限られずユーザの詳細な情報である。
【００１０】
以下、図１、図３乃至図４を用いて、ユーザ識別情報及びユーザ詳細情報の表示について説明をする。
【００１１】
まず、本実施形態のデータベース検索機器の構成について図１を用いて説明をする。
【００１２】
図１において、通信回路１０３は、ユーザ機器や他のサーバ機器から情報を受信し、また、ユーザ機器や他のサーバ機器に情報を送信する回路である。データベースメモリ１０５は、例えば、特許公開公報のように所定の情報をデータベースとして記録しているメモリである。ユーザ情報用メモリ１０４は、ユーザ識別情報及びユーザ詳細情報を記録するメモリである。制御回路１００は、指示入力回路１０２から入力された指示情報に基き、ユーザ情報用メモリ１０５、データベースメモリ１０５、通信回路１０３、及びスクリーン１０１等を制御する。
【００１３】
次に、データベース検索機器が、ユーザにデータベース検索サービスを提供する処理について説明をする。
【００１４】
まず、通信回路１０３を介して、ユーザ機器からデータベース検索サービスの提供を受ける指示情報が入力されると、制御回路１００は、ユーザ機器にユーザ識別情報を入力すべき指示情報を、通信回路１０３を介してユーザ機器に出力する。
【００１５】
次に、制御回路１００は、ユーザ機器から通信回路１０３を介して入力されたユーザ識別情報がユーザ情報用メモリ１０４に記録されているか否かを判断する。ここで、制御回路１００は、入力されたユーザ識別情報がユーザ情報用メモリに記録されている場合には、データベースメモリ１０５に記録されているデータの検索サービスの提供を開始する。
【００１６】
一方、制御回路１００は、入力されたユーザ識別情報がユーザ情報用メモリ１０４に記録されていない場合は、通信回路１０３を介して、ユーザ機器にユーザ詳細情報を入力すべき指示情報を出力する。
【００１７】
次に、制御回路は、ユーザ機器から入力されたユーザ詳細情報をユーザ情報用メモリ１０４に記録し、データベース検索サービスの提供を開始する。
【００１８】
データベース検索サービス提供者は、以上のようにして、データベース検索サービス提供を受けようとするユーザのユーザ識別情報及びユーザ詳細情報を漏れなくユーザ情報用メモリ１０４に記録しておくことができる。
【００１９】
次に、ユーザ情報用メモリ１０４に記録されているユーザ識別情報の具体的な表示方法について図１、図３を用いて説明をする。
【００２０】
制御回路１００は、指示入力回路１０２にからユーザ識別情報を表示すべき指示があると、ユーザ情報用メモリ１０５に記録されている全てのユーザ情報識別情報を、図３に示すようにスクリーン１０１に表示させる。即ち、本実施形態においては、図３に示すように、ユーザ識別情報の表示を行なう。
【００２１】
次に、ユーザ情報用メモリ１０４に記録されているユーザ詳細情報の具体的な表示方法について、図１、図３、及び図４を用いて説明する。
【００２２】
本実施形態において、サービス提供者は、ユーザ詳細情報をスクリーン１０１に表示させる場合、図３のユーザ識別情報表示画面から詳細情報を表示したいユーザ識別情報を、カーソルにより選択する（例えば、ユーザ名：ＡＡＡを選択する）。カーソルを合わせた項目は２重線で囲われ、その項目にカーソルを合わせていることが容易に分かる。そして、カーソルにより選択されたユーザ詳細情報は、例えば、図４に示すように表示される。これにより、サービスの提供者は、ユーザの登録日やユーザの所属部署等、サーバ機器に登録されているユーザの詳細情報を容易に把握することができる。
【００２３】
以上、第一の実施形態においては、サーバ機器が、ユーザ識別情報の表示を行い、また、ユーザ識別情報の表示からユーザ詳細情報を選択させ、選択されたユーザ詳細情報の表示を行なう。従って、サービス提供者は、ユーザ識別情報及びユーザ詳細情報を容易に把握できることとなり、サーバ機器の使い勝手が向上する。
【００２４】
なお、本実施形態においては、ユーザ識別情報やユーザ詳細情報をスクリーン１０１に表示させたが、他のサーバ機器情報や他のサーバ機器の詳細情報をスクリーン１０１に表示させても良い。これにより、サーバ機器の使い勝手がさらに向上する。
【００２５】
また、本実施形態においては、ユーザ識別情報の表示として、サーバ機器のユーザ情報用メモリ１０５に記録してある全てのユーザ識別情報を表示した。しかし、ユーザ識別情報の表示の他の手段として、現にサービス提供中のユーザの識別情報のみを表示することとしても良い。また、図５に示すように、サービス提供中のユーザ識別情報の項目の枠の色を、他のユーザ識別情報の項目の色と変えても良い。これにより、サービス提供者は、現にサービスを提供中のユーザのユーザ識別情報を容易に把握できるという効果がある。
【００２６】
次に、第二の実施形態について説明をする。本実施形態においては、第一の実施形態において説明したユーザ詳細情報の秘密保持について説明する。
【００２７】
本実施形態においては、制御回路１００は、指示入力回路１０２からユーザ詳細情報の表示指示があった場合に、スクリーン１０１にパスワードを入力すべきことを表示させる。
【００２８】
次に、制御回路１００は、指示入力回路１０２から入力されたパスワードと制御回路１００に登録されているパスワードとが一致するか否かを判断する。パスワードが一致した場合、制御回路１００は、ユーザ情報メモリ１０５に記録されているユーザ詳細情報をスクリーン１０１に表示させる。一方、パスワードが一致しない場合、制御回路１００は、ユーザ詳細情報の表示を行なわず、パスワードが不一致であることをスクリーン１０１に表示させる。
【００２９】
以上、第二の実施形態において、サービス提供者は、図３に示すようなユーザ識別情報表示画面からユーザ詳細情報を表示したいユーザ識別情報を選択する際に、パスワード認証を行なうこととするので、不正なユーザ詳細情報の表示を低減することができ、サーバ機器の使い勝手が向上する。
【００３０】
なお、ユーザ識別情報の表示の際にもパスワード認証を行なう構成にすることにより、ユーザ識別情報の秘密を保持することができる。
【００３１】
【発明の効果】
以上、本発明により、サーバ機器装置の使い勝手が向上する。
【図面の簡単な説明】
【図１】データベース検索サービスを提供するサーバ機器のブロック図
【図２】ユーザ機器とサーバ機器とかネットワーク上でリンクしている模式図
【図３】ユーザ識別情報の表示を示す図
【図４】ユーザ詳細情報の表示を示す図
【図５】ユーザ識別情報の表示を示す図
【符号の説明】
１００・・・制御回路、１０１・・・スクリーン、１０３・・・通信回路、１０５・・・ユーザ情報用メモリ
【図１】
2004206186.tif 000003
【図２】
2004206186.tif 000004
【図３】
2004206186.tif 000005
【図４】
2004206186.tif 000006
【図５】
2004206186.tif 000007